(57)【要約】  ロール紙及びインクシートをそれぞれ新しいロール紙及びインクシートに交換しダストボックスに収納されたマージンカットくずを廃棄する作業が容易であるプリンターを提供する。プリンターにおいて、固定部から引出自在に可動部が外郭筐体に固定される。固定部からの可動部の引き出しが行われた場合に、ロール紙、インクシート及びダストボックスが、引き出しにより形成された開口部に面し、ロール紙、インクシート及びダストボックス以外を操作することなくロール紙、インクシート及びダストボックスを操作可能である。
2019123637.tif 000002
【特許請求の範囲】
【請求項１】
外郭筐体（１０２０）と、ロール紙（１０６０）から引き出されたプリント用紙（１０８０）に熱転写位置（１１２０）においてインクシート（１１００）からインクを熱転写し前記外郭筐体（１０２０）に固定されるサーマルヘッド（１０４６）と、を備える固定部（１２００）と、
可動部（１２０１）であって、前記ロール紙（１０６０）が装着されるロール紙装着部（１０４０）と、前記インクシート（１１００）が装着されるインクシート装着部（１０４１）と、カット位置（１１２１）において前記プリント用紙（１０８０）のカットを行うカッター（１０４７）と、前記プリント用紙（１０８０）を搬送し前記プリント用紙（１０８０）に前記熱転写位置（１１２０）及び前記カット位置（１１２１）を順次に通過させる搬送機構（１０４３，１０４４）と、前記カットにより生じるカットくず（１１６０）を収納するダストボックス（１０４８）と、前記固定部（１２００）から引き出し自在に前記可動部（１２０１）を前記外郭筐体（１０２０）に固定するスライド機構（１２２０）と、を備え、前記固定部（１２００）からの前記可動部（１２０１）の引き出しが行われた場合に、前記ロール紙（１０６０）、前記インクシート（１１００）及び前記ダストボックス（１０４８）が前記引き出しにより形成された開口部（１３８０）に面し、前記ロール紙（１０６０）、前記インクシート（１１００）及び前記ダストボックス（１０４８）以外を操作することなく前記ロール紙（１０６０）、前記インクシート（１１００）及び前記ダストボックス（１０４８）を操作可能である可動部（１２０１）と、
を備えるプリンター（１０００）。
【請求項２】
前記可動部（１２０１）は、
回転軸（１３４０）の周りに回転可能である回転ドア（１３００）と、
前記引き出しが行われた場合に、前記回転ドア（１３００）が前記ロール紙（１０６０）、前記インクシート（１１００）及び前記ダストボックス（１０４８）の交換経路と干渉しない開位置（１３２１）に向かって前記回転ドア（１３００）を回転させ前記開口部（１３８０）を形成する回転機構（１３０１）と、
をさらに備える
請求項１のプリンター（１０００）。
【請求項３】
前記引き出しが行われていない場合に前記開位置（１３２１）へ向かっての前記回転ドア（１３００）の回転に対する規制を行い、前記引き出しが行われた場合に前記規制を解除する回転ロック機構（１４０１）
をさらに備える請求項２のプリンター（１０００）。
【発明の詳細な説明】
【技術分野】
【０００１】
本発明は、プリンターに関する。
【背景技術】
【０００２】
熱転写方式のプリンターにおいては、プリント用紙がロール状に巻かれたロール紙からプリント用紙が引き出される。引き出されたプリント用紙は、インクシートと重ね合わされる。プリント用紙をインクシートと重ね合わせることにより得られる重ね合わせ体は、発熱するサーマルヘッドにより加熱される。これにより、インクシートからプリント用紙にインクが転写され、プリント用紙に画像がプリントされる。画像がプリントされたプリント用紙は、カッターにより所望のサイズにカットされる。縁無しのプリントが作製される場合は、プリント用紙が縁無しのプリントと縁部分に由来するマージンカットくずとに分離されるようにプリント用紙がカットされる。カットにより生じたマージンカットくずは、ダストボックスに収納される。【０００３】
プリンター用紙及びインクシートは、プリントが行われるたびに消耗する。このため、ロール紙及びインクシートは、規定の枚数分のプリントが行われた後に、それぞれ新しいロール紙及びインクシートに交換される必要がある。また、収納されたマージンカットくずは、規定の枚数分のプリントが行われた後に、破棄される必要がある。このため、熱転写方式のプリンターには、ロール紙及びインクシートをそれぞれ新しいロール紙及びインクシートに交換しダストボックスに収納されたマージンカットくずを廃棄する作業を可能にするための仕組みが備えられる。【０００４】
特許文献１に記載されたプリンタにおいては、ロール紙が交換される場合に、ケースに対して本体が引き出され、本体のカバーが上方に開かれ、断裁片収容部が本体から取り外される（段落００１５及び００１６）。これにより、用紙収容部が露出し、用紙収容部に収容されたロール紙にアクセスできるようになる（段落００１６）。段落００１４において言及されているインクリボンがどのように交換されるのかは不明である。【０００５】
特許文献２に記載されたプリンタにおいては、プリンタ本体が筐体から引き出され、カットくず収集ボックスの上方部分がプリンタ本体に対して回動させられる（段落００２４）。これにより、記録媒体保持部が外部に対して開放され、ロール状に回巻された記録媒体を交換又は補充できるようになる（段落００２４）。段落００３３等において言及されているリボンユニットがどのように交換されるのかは不明である。
【先行技術文献】
【特許文献】
【０００６】
【特許文献１】特開２０１７−１７１４３５号公報
【特許文献２】特開２０１７−１７７５８１号公報
【発明の概要】
【発明が解決しようとする課題】
【０００７】
従来のプリンターにおいては、その構造上、ロール紙及びインクシートをそれぞれ新しいロール紙及びインクシートに交換しダストボックスに収納されたマージンカットくずを廃棄する作業が煩雑であった。このため、当該作業に長時間を要していた。また、当該作業が誤操作を誘発することもあった。特に、プリンターの操作に不慣れな作業者にとっては、この問題が深刻であった。【０００８】
本発明は、この問題を解決するためになされる。本発明が解決しようとする課題は、ロール紙及びインクシートをそれぞれ新しいロール紙及びインクシートに交換しダストボックスに収納されたマージンカットくずを廃棄する作業が容易であるプリンターを提供することである。
【課題を解決するための手段】
【０００９】
プリンターは、固定部及び可動部を備える。【００１０】
固定部は、外郭筐体及びサーマルヘッドを備える。サーマルヘッドは、外郭筐体に固定される。【００１１】
可動部は、ロール紙装着部、インクシート装着部、カッター、搬送機構、ダストボックス及びスライド機構を備える。スライド機構は、固定部から引き出し自在に可動部を外郭筐体に固定する。【００１２】
固定部からの可動部の引き出しが行われた場合に、ロール紙、インクシート及びダストボックスが、引き出しにより形成された開口部に面し、ロール紙、インクシート及びダストボックス以外を操作することなくロール紙、インクシート及びダストボックスを操作可能である。【００１３】
ロール紙装着部には、ロール紙が装着される。インクシート装着部には、インクシートが装着される。【００１４】
搬送機構は、ロール紙から引き出されたプリント用紙を搬送し、プリント用紙に熱転写位置及びカット位置を順次に通過させる。【００１５】
サーマルヘッドは、プリント用紙に熱転写位置においてインクシートからインクを熱転写する。【００１６】
カッターは、カット位置においてプリント用紙のカットを行う。【００１７】
ダストボックスは、カットにより生じるカットくずを収納する。
【発明の効果】
【００１８】
本発明によれば、ロール紙及びインクシートをそれぞれ新しいロール紙及びインクシートに交換しダストボックスに収納されたマージンカットくずを廃棄する作業が容易であるプリンターが提供される。【００１９】
この発明の目的、特徴、局面、および利点は、以下の詳細な説明と添付図面とによって、より明白となる。
【図面の簡単な説明】
【００２０】
【図１】実施の形態１のプリンターを模式的に図示する斜視図である。
【図２】実施の形態１のプリンターを模式的に図示する断面図である。
【図３】実施の形態１のプリンターの、スライドメカが交換位置に配置され回転ドアが開位置に配置された状態を模式的に図示する斜視図である。
【図４】実施の形態１のプリンターの、スライドメカが交換位置に配置され回転ドアが開位置に配置された状態を模式的に図示する断面図である。
【図５】実施の形態１のプリンターに設けられたスライドロック機構及び回転ロック機構を模式的に図示する模式図である。
【図６】実施の形態１のプリンターにおける、ロール紙及びインクシートをそれぞれ新しいロール紙及びインクシートに交換しダストボックスに収納されたマージンカットくずを廃棄する作業の手順を図示するフローチャートである。
【図７】参考例１及び参考例２のプリンターの、スライドメカが交換位置に配置された状態を模式的に図示する斜視図である。
【図８】参考例１のプリンターの、スライドメカが交換位置に配置され回転ドアが開位置に配置された状態を模式的に図示する斜視図である。
【図９】参考例１のプリンターにおける、ロール紙及びインクシートをそれぞれ新しいロール紙及びインクシートに交換しダストボックスに収納されたマージンカットくずを廃棄する作業の手順を図示するフローチャートである。
【図１０】参考例２のプリンターの、スライドメカが交換位置に配置され回転ドアが開位置に配置された状態を模式的に図示する斜視図である。
【図１１】参考例２のプリンターにおける、ロール紙及びインクシートをそれぞれ新しいロール紙及びインクシートに交換しダストボックスに収納されたマージンカットくずを廃棄する作業の手順を図示するフローチャートである。
【発明を実施するための形態】
【００２１】
１  実施の形態１
１．１  プリンターの概略
図１は、実施の形態１のプリンターを模式的に図示する斜視図である。図２は、実施の形態１のプリンターを模式的に図示する断面図である。
【００２２】
図１及び図２に図示されるプリンター１０００は、熱転写方式のプリンターであり、サーマルヘッド１０４６を用いてインクシート１１００に含まれるインクをプリント用紙１０８０に熱転写することによりプリント用紙１０８０に画像をプリントする。
【００２３】
プリンター１０００は、外郭筐体１０２０及びプリント機構１０２１を備える。プリンター１０００がこれらの構成物以外の構成物を備えてもよい。例えば、プリンター１０００が、図示されない電源部、画像処理部、センサー、駆動部、制御部、構造支持部、表示部等を備えてもよい。
【００２４】
プリント機構１０２１は、ロール紙装着部１０４０、インクシート装着部１０４１、ピンチ部材１０４３、グリップ部材１０４４、プラテンローラー１０４５、サーマルヘッド１０４６、カッター１０４７及びダストボックス１０４８を備える。プリント機構１０２１がこれらの構成物以外の構成物を備えてもよい。
【００２５】
ロール紙装着部１０４０には、ロール紙１０６０が装着される。ロール紙１０６０においては、プリント用紙１０８０がロール状に巻かれている。装着されたロール紙１０６０は、規定の枚数分のプリントが行われた後に、新しいロール紙１０６０に交換される。
【００２６】
インクシート装着部１０４１には、インクシート１１００が装着される。装着されたインクシート１１００は、規定の枚数分のプリントが行われた後に、新しいインクシート１１００に交換される。
【００２７】
ピンチ部材１０４３及びグリップ部材１０４４は、熱転写が行われる場合に、ロール紙１０６０から引き出されたプリント用紙１０８０をニップし、同期回転してニップしたプリント用紙１０８０を送り出す。これにより、プリント用紙１０８０は、熱転写位置１１２０及びカット位置１１２１を順次に経由する搬送経路に沿って搬送され、熱転写位置１１２０及びカット位置１１２１を順次に通過する。ピンチ部材１０４３及びグリップ部材１０４４からなる搬送機構が他の種類の搬送機構に置き換えられてもよい。
【００２８】
プリント用紙１０８０は、熱転写位置１１２０において、インクシート１１００と重ね合わされる。これにより、熱転写位置１１２０には、プリント用紙１０８０及びインクシート１１００が互いに重ね合わされた重ね合わせ物１１４０が配置される。
【００２９】
プラテンローラー１０４５は、重ね合わせ物１１４０をサーマルヘッド１０４６に押し付ける。これにより、重ね合わせ物１１４０は、プラテンローラー１０４５及びサーマルヘッド１０４６により圧着される。
【００３０】
サーマルヘッド１０４６は、重ね合わせ物１１４０を加熱する。これにより、熱転写位置１１２０において、インクシート１１００からプリント用紙１０８０にインクが転写され、プリント用紙１０８０に画像がプリントされる。
【００３１】
カッター１０４７は、画像がプリントされたプリント用紙１０８０をカット位置１１２１においてカットし、画像がプリントされたプリント用紙１０８０を所定のサイズを有する縁無しのプリントと縁部分に由来するマージンカットくず１１６０とに分離し、縁なしのプリントを作製する。縁なしのプリント以外のプリントが作製されてもよい。
【００３２】
作製された縁なしのプリントは、排出口１３６０から排出される。
【００３３】
ダストボックス１０４８は、プリント用紙１０８０のカットにより生じたマージンカットくず１１６０を収納する。収納されたマージンカットくず１１６０は、規定の枚数分のプリントが行われた後に、破棄される。ダストボックス１０４８がマージンカットくず１１６０以外のカットくずを収納してもよい。
【００３４】
１．２  固定側の筐体及びスライドメカ
図３は、実施の形態１のプリンターの、スライドメカが交換位置に配置され回転ドアが開位置に配置された状態を模式的に図示する斜視図である。図４は、実施の形態１のプリンターの、スライドメカが交換位置に配置され回転ドアが開位置に配置された状態を模式的に図示する断面図である。
【００３５】
プリンター１０００は、図３及び図４に図示されるように、固定側の筐体１２００及びスライドメカ１２０１を備える。
【００３６】
固定側の筐体１２００は、外郭筐体１０２０及びサーマルヘッド１０４６を備える。サーマルヘッド１０４６は、外郭筐体１０２０に固定される。
【００３７】
スライドメカ１２０１は、ロール紙装着部１０４０、インクシート装着部１０４１、ピンチ部材１０４３、グリップ部材１０４４、プラテンローラー１０４５、カッター１０４７及びダストボックス１０４８を備える。
【００３８】
スライドメカ１２０１は、スライド機構１２２０をさらに備える。スライド機構１２２０は、固定側の筐体１２００から引き出し自在にスライドメカ１２０１を外郭筐体１０２０に固定する。スライド機構１２２０による固定により、スライドメカ１２０１は、プリンター１０００がプリントを行うことができるプリント位置１２４０と、インクシート１１００の交換をプリンター１０００の前面から行うことができる交換位置１２４１と、の間で前後方向に移動できる。交換位置１２４１は、プリント位置１２４０の前方にある。
【００３９】
固定側の筐体１２００は、固定された固定部となる。スライドメカ１２０１は、固定部に対して可動である可動部となる。
【００４０】
１．３  回転ドア及びバネ
スライドメカ１２０１は、図４に図示されるように、回転ドア１３００及びバネ１３０１をさらに備える。
【００４１】
回転ドア１３００は、下方にある閉位置１３２０と上方にある開位置１３２１との間で回転軸１３４０の周りに回転可能である。回転ドア１３００が閉位置１３２０に配置された場合は、回転ドア１３００に形成された排出口１３６０を経由して、作製されたプリントが排出される。回転ドア１３００が開位置１３２１に配置された場合は、回転ドア１３００がロール紙１０６０、インクシート１１００及びダストボックス１０４８の交換経路に干渉しない。
【００４２】
バネ１３０１は、スライドメカ１２０１が固定側の筐体１２００から引き出された場合に、回転ドア１３００を閉位置１３２０から開位置１３２１に向かって回転させる。交換位置１２４１へのスライドメカ１２０１の引き出し、及び開位置１３２１への回転ドア１３００の回転により、プリンタ−１０００には、開口部１３８０が形成される。
【００４３】
スライドメカ１２０１が固定側の筐体１２００から引き出された場合は、ロール紙１０６０、インクシート１１００及びダストボックス１０４８が引き出しにより形成された開口部１３８０に面し、ロール紙１０６０、インクシート１１００及びダストボックス１０４８以外を操作することなくロール紙１０６０、インクシート１１００及びダストボックス１０４８を操作可能である。これにより、ロール紙１０６０及びインクシート１１００をそれぞれ新しいロール紙１０６０及びインクシート１１００に交換しダストボックス１０４８に収納されたマージンカットくず１１６０を廃棄する作業の対象となるロール紙１０６０、インクシート１１００及びダストボックス１０４８を同時に視認できる。また、当該作業を行う際に当該作業の対象となるロール紙１０６０、インクシート１１００及びダストボックス１０４８以外を操作する必要がない。したがって、操作者がプリンター１０００に不慣れであっても、行うべき操作を容易に認識でき、行うべき操作を短時間で容易に完了できる。
【００４４】
バネ１３０１を備える回転機構がバネ１３０１を備えない回転機構に置き換えられてもよい。例えば、モーターを備える回転機構が設けられ、スライドメカ１２０１が固定側の筐体１２００から引き出されたことが検出された場合にモーターにより回転ドア１３００が閉位置１３２０から開位置１３２１に向かって回転させられてもよい。
【００４５】
１．４  スライドロック機構及び回転ロック機構
図５は、実施の形態１のプリンターに設けられたスライドロック機構及び回転ロック機構を模式的に図示する模式図である。
【００４６】
プリンター１０００は、図５に図示されるように、スライドロック機構１４００及び回転ロック機構１４０１をさらに備える。
【００４７】
スライドロック機構１４００は、レバー１４２０、リンク部材１４２１、リンク部材１４２２、ロック部材１４２３及び固定ピン１４２４を備える。
【００４８】
レバー１４２０は、回転軸１４４０の周りに回転可能である。
【００４９】
リンク部材１４２１は、回転軸１４４０の周りに回転可能である。リンク部材１４２１は、レバー１４２０に連結され、レバー１４２０が前方に向かう方向Ｄ１に回転した場合に、方向Ｄ２に回転する。
【００５０】
リンク部材１４２２は、方向Ｄ３に移動可能である。リンク部材１４２２の一方の端部は、リンク部材１４２１に接触する。リンク部材１４２２は、リンク部材１４２１が方向Ｄ２に回転した場合にリンク部材１４２１に押されて方向Ｄ３に移動する。
【００５１】
ロック部材１４２３は、固定側の筐体１２００に結合される。ロック部材１４２３は、回転軸１４６０の周りに回転可能である。ロック部材１４２３は、リンク部材１４２２の他方の端部に接触し、リンク部材１４２２が方向Ｄ３に移動した場合にリンク部材１４２２に押されて方向Ｄ４に回転する。
【００５２】
固定ピン１４２４は、スライドメカ１２０１に結合される。ロック部材１４２３が方向Ｄ４に回転していない場合は、ロック部材１４２３に設けられたフック１４８０の先端が固定ピン１４２４の前方に配置され、ロック部材１４２３が方向Ｄ４に回転した場合は、フック１４８０の先端が固定ピン１４２４の前方から外れる。
【００５３】
したがって、レバー１４２０を方向Ｄ１に回転させるアンロック操作が行われていない場合は、リンク部材１４２１が方向Ｄ２に回転しておらず、リンク部材１４２２が方向Ｄ３に移動しておらず、ロック部材１４２３が方向Ｄ４に回転しておらず、フック１４８０の先端が固定ピン１４２４の前方に配置される。このため、固定側の筐体１２００からスライドメカ１２０１を前方に引き出すことが試みられた場合に固定ピン１４２４がフック１４８０の先端に当たり、固定側の筐体１２００からスライドメカ１２０１を前方に引き出すことが規制される。
【００５４】
一方、レバー１４２０を方向Ｄ１に回転させるアンロック操作が行われた場合は、リンク部材１４２１が方向Ｄ２に回転し、リンク部材１４２２が方向Ｄ３に移動し、ロック部材１４２３が方向Ｄ４に回転し、フック１４８０の先端が固定ピン１４２４の前方から外れる。このため、固定側の筐体１２００からスライドメカ１２０１を前方に引き出すことが試みられた場合に固定ピン１４２４がフック１４８０の先端に当たらず、固定側の筐体１２００からスライドメカ１２０１を前方に引き出すことに対する規制が解除される。
【００５５】
図５に図示されるスライドロック機構１４００が他の種類のスライドロック機構に置き換えられてもよい。例えば、ロック部材１４２３がレバー１４２０の後方に配置される図５に図示されるスライドロック機構１４００が、ロック部材１４２３がレバー１４２０の下方に配置されるスライドロック機構に置き換えられてもよい。
【００５６】
回転ロック機構１４０１は、アンロック部材１５００、ロック部材１５０１及び固定ピン１５０２を備える。
【００５７】
アンロック部材１５００は、スライドメカ１２０１の回転ドア１３００以外の部分に結合される。
【００５８】
ロック部材１５０１は、スライドメカ１２０１の回転ドア１３００以外の部分に結合される。ロック部材１５０１は、回転軸１５２０の周りに回転可能である。ロック部材１５０１に設けられたフック１５４０の先端は、アンロック部材１５００の後方に配置され、スライドメカ１２０１が固定側の筐体１２００から引き出された場合にアンロック部材１５００に押され方向Ｄ５に回転する。
【００５９】
固定ピン１５０２は、回転ドア１３００に固定される。ロック部材１５０１が方向Ｄ５に回転していない場合は、フック１５４０の先端が固定ピン１５０２の上方に配置され、ロック部材１５０１が方向Ｄ５に回転した場合は、フック１５４０の先端が固定ピン１５０２の上方から外れる。
【００６０】
したがって、スライドメカ１２０１が固定側の筐体１２００から引き出されていない場合は、ロック部材１５０１がアンロック部材１５００に押されておらず、ロック部材１５０１が方向Ｄ５に回転しておらず、フック１５４０の先端が固定ピン１５０２の上方に配置される。このため、回転ドア１３００を下方にある閉位置１３２０から上方にある開位置１３２１に向かって回転させることが試みられた場合に固定ピン１５０２がフック１５４０の先端に当たり、開位置１３２１への回転ドア１３００の回転が規制される。
【００６１】
一方、スライドメカ１２０１が固定側の筐体１２００から引き出された場合は、ロック部材１５０１がアンロック部材１５００に押され、ロック部材１５０１が方向Ｄ５に回転し、フック１５４０の先端が固定ピン１５０２の上方から外れる。このため、回転ドア１３００を下方にある閉位置１３２０から上方にある開位置１３２１に向かって回転させることが試みられた場合に固定ピン１５０２がフック１５４０の先端に当たらず、開位置１３２１への回転ドア１３００の回転に対する規制が解除される。
【００６２】
バネ１３０１及び回転ロック機構１４０１により、スライドメカ１２０１を固定側の筐体１２００から引き出す開放動作に同期して回転ドア１３００を開位置１３２１に向かって回転させる開放動作が自動的に実行される。
【００６３】
図５に図示される回転ロック機構１４０１が他の種類の回転ロック機構に置き換えられてもよい。
【００６４】
１．５  プリンターに対する操作
図６は、実施の形態１のプリンターにおける、ロール紙及びインクシートをそれぞれ新しいロール紙及びインクシートに交換しダストボックスに収納されたマージンカットくずを廃棄する作業の手順を示すフローチャートである。
【００６５】
ロール紙１０６０及びインクシート１１００の交換時期は、プリンター１０００に設けられた図示されないアラートにより作業者に報知される。作業者は、ロール紙１０６０及びインクシート１１００の交換時期が報知された場合に、図６のフローチャートにより図示される手順に従って作業を行う。
【００６６】
図６に図示されるステップＳ１０１においては、作業者が、レバー１４２０を方向Ｄ１に回転させることによりスライドメカ１２０１のロックを解除し、固定側の筐体１２００からスライドメカ１２０１を交換位置１２４１まで引き出す。スライドメカ１２０１のロックの解除に同期して、回転ドア１３００のロックも解除され、バネ１３０１が発生した力により回転ドア１３００が閉位置１３２０から開位置１３２１へ向かって回転する。これにより、プリンター１０００には、開口部１３８０が形成される。開口部１３８０には、ロール紙１０６０、インクシート１１００及びダストボックス１０４８が露出する。このため、操作者は、固定側の筐体１２００からスライドメカ１２０１を引き出した後に、操作すべきロール紙１０６０、インクシート１１００及びダストボックス１０４８を同時に視認できる。固定側の筐体１２００からスライドメカ１２０１が引き出され回転ドア１３００が開位置１３２１に向かって回転させられることにより、プリンター１０００は、インクシート１１００にアクセスしてインクシート１１００を新しいシンクシート１１００に交換する操作を行うことができ、ダストボックス１０４８にアクセスしてダストボックス１０４８に収納されたマージンカットくず１１６０を破棄する作業を行うことができる状態になる。
【００６７】
続くステップＳ１０２においては、作業者が、消耗したインクシート１１００をインクシート装着部１０４１から取り外し、取り外したインクシート１１００をインクシート１１００の交換経路に沿ってプリンター１０００の外部に運び出す。また、作業者が、新しいインクシート１１００をインクシート１１００の交換経路に沿ってプリンター１０００の外部から運び入れ、運び入れた新しいインクシート１１００をインクシート装着部１０４１に装着する。これにより、消耗したインクシート１１００が新しいインクシート１１００に交換される。このとき、回転ドア１３００は開位置１３２１にあるので、回転ドア１３００は消耗したインクシート１１００の運び出し、及び新しいインクシート１１００の運び入れを阻害しない。
【００６８】
続くステップＳ１０３においては、作業者が、ダストボックス１０４８をプリンター１０００から取り外し、取り外したダストボックス１０４８をダストボックス１０４８の交換経路に沿ってプリンター１０００の外部に運び出し、ダストボックス１０４８に収納されたマージンカットくず１１６０を破棄する。これにより、空のダストボックス１０４８が得られる。このとき、回転ドア１３００は開位置１３２１にあるので、回転ドア１３００はダストボックス１０４８の運び出しを阻害しない。ダストボックス１０４８が取り外されることにより、プリンター１０００は、ロール紙１０６０にアクセスしてロール紙１０６０を新しいロール紙１０６０に交換する操作を行うことができる状態になる。
【００６９】
続くステップＳ１０４においては、作業者が、消耗したロール紙１０６０をロール紙装着部１０４０から取り外し、取り外したロール紙１０６０をロール紙１０６０の交換経路に沿ってプリンター１０００の外部に運び出す。また、作業者が、新しいロール紙１０６０をロール紙１０６０の交換経路に沿ってプリンター１０００の外部から運び入れ、運び入れた新しいロール紙１０６０をロール紙装着部１０４０に装着する。これにより、消耗したロール紙１０６０が新しいロール紙１０６０に交換される。このとき、回転ドア１３００は開位置１３２１にあるので、回転ドア１３００は消耗したロール紙１０６０の運び出し、及び新しいロール紙１０６０の運び入れを阻害しない。
【００７０】
続くステップＳ１０５においては、作業者が、空のダストボックス１０４８をダストボックス１０４８の交換経路に沿ってプリンター１０００の外部から運び入れ、運び入れた空のダストボックス１０４８をプリンター１０００に装着する。このとき、回転ドア１３００は開位置１３２１にあるので、回転ドア１３００はダストボックス１０４８の運び入れを阻害しない。
【００７１】
続くステップＳ１０６においては、作業者が、スライドメカ１２０１をプリント位置１２４０まで押しこむ。スライドメカ１２０１がプリント位置１２４０まで押しこまれる際に、回転ドア１３００が開位置１３２１から閉位置１３２０に向かって回転し、開口部１３８０が閉められる。これにより、プリンター１０００は、初期状態に戻る。
【００７２】
図６のフローチャートにより示される手順によれば、ロール紙１０６０、インクシート１１００及びダストボックス１０４８の操作がステップＳ１０２，Ｓ１０３，Ｓ１０４及びＳ１０５において行われ、ロール紙１０６０、インクシート１１００及びダストボックス１０４８以外の本体の操作がステップＳ１０１及びＳ１０６において行われる。したがって、ロール紙１０６０、インクシート１１００及びダストボックス１０４８の操作が行われている間に本体の操作が行われることがない。これにより、操作者がプリンター１０００に不慣れであっても、行うべき操作を容易に認識でき、行うべき操作を短時間で容易に完了することができる。また、ロール紙１０６０及びインクシート１１００をそれぞれ新しいロール紙１０６０及びインクシート１１００に交換しダストボックス１０４８に収納されたマージンカットくず１１６０を廃棄する作業を少ない操作で行うことができる。
【００７３】
実施の形態１のプリンター１０００においては、ロール紙１０６０を新しいロール紙１０６０に交換する操作、インクシート１１００を新しいインクシート１１００に交換する操作、及びダストボックス１０４８に格納されたマージンカットくず１１６０を破棄する操作の全部が、回転ドア１３００が開位置１３２１へ向かって回転した後に行われる。これにより、ロール紙１０６０、インクシート１１００及びダストボックス１０４８の操作が行われている間に回転ドア１３００の操作が行われる必要がない。
【００７４】
２  参考例１
図７は、参考例１のプリンターの、スライドメカが交換位置に配置された状態を模式的に図示する斜視図である。図８は、参考例１のプリンターの、スライドメカが交換位置に配置され回転ドアが開位置に配置された状態を模式的に図示する斜視図である。
【００７５】
図７及び図８に図示されるプリンター８０００においては、スライドメカ８２０１が、固定側の筐体８２００から引き出し自在に外郭筐体８０２０に固定される。スライドメカ８２０１は、プリンター８０００がプリントを行うことができるプリント位置８２４０と、インクシート８１００の交換をプリンター８０００の前面から行うことができる交換位置８２４１と、の間で前後方向に移動できる。交換位置８２４１は、プリント位置８２４０の前方にある。
【００７６】
また、プリンター８０００においては、回転ドア８３００が、下方にある閉位置８３２０と上方にある開位置８３２１との間で回転軸８３４０の周りに回転可能である。
【００７７】
図９は、参考例１のプリンターにおける、ロール紙及びインクシートをそれぞれ新しいロール紙及びインクシートに交換しダストボックスに収納されたマージンカットくずを廃棄する作業の手順を図示するフローチャートである。
【００７８】
図９に図示されるステップＳ８０１においては、作業者が、固定側の筐体８２００からスライドメカ８２０１を引き出す。
【００７９】
続くステップＳ８０２においては、作業者が、消耗したインクシート８１００をインクシート装着部８０４１から取り外し、取り外したインクシート８１００をインクシート８１００の交換経路に沿ってプリンター８０００の外部に運び出す。また、作業者が、新しいインクシート８１００をインクシート８１００の交換経路に沿ってプリンター８０００の外部から運び入れ、運び入れた新しいインクシート８１００をインクシート装着部８０４１に装着する。これにより、消耗したインクシート８１００が新しいインクシート８１００に交換される。
【００８０】
続くステップＳ８０３においては、作業者が、回転ドア８３００を下方にある閉位置８３２０から上方にある開位置８３２１へ向かって回転させる。スライドメカ８２０１が固定側の筐体８２００から引き出され回転ドア８３００が開位置８３２１に向かって回転させられることにより、プリンター８０００は、ダストボックス８０４８にアクセスしてダストボックス８０４８に収納されたマージンカットくず８１６０を破棄する操作を行うことができる状態になる。
【００８１】
続くステップＳ８０４においては、作業者が、ダストボックス８０４８を取り外し、取り外したダストボックス８０４８をダストボックス８０４８の交換経路に沿ってプリンター８０００の外部に運び出し、ダストボックス８０４８に収納されたマージンカットくず８１６０を破棄する。これにより、空のダストボックス８０４８が得られる。ダストボックス８０４８が取り外されることにより、プリンター８０００は、ロール紙８０６０にアクセスしてロール紙８０６０を新しいロール紙８０６０に交換する操作を行うことができる状態になる。
【００８２】
続くステップＳ８０５においては、作業者が、消耗したロール紙８０６０をロール紙装着部８０４０から取り外し、取り外したロール紙８０６０をロール紙８０６０の交換経路に沿ってプリンター８０００の外部に運び出す。また、作業者が、新しいロール紙８０６０をロール紙８０６０の交換経路に沿ってプリンター８０００の外部から運び入れ、運び入れた新しいロール紙８０６０をロール紙装着部８０４０に装着する。これにより、消耗したロール紙８０６０が新しいロール紙８０６０に交換される。
【００８３】
続くステップＳ８０６においては、作業者が、空のダストボックス８０４８をダストボックス８０４８の交換経路に沿ってプリンター８０００の外部から運び入れ、運び入れた空のダストボックス８０４８を装着する。
【００８４】
続くステップＳ８０７においては、作業者が、回転ドア８３００を開位置８３２１から閉位置８３２０へ向かって回転させる。
【００８５】
続くステップＳ８０８においては、作業者が、スライドメカ８２０１をプリント位置８２４０に押し込む。これにより、プリンター８０００は、初期状態に戻る。
【００８６】
図９のフローチャートにより示される手順によれば、ロール紙８０６０、インクシート８１００及びダストボックス８０４８の操作がステップＳ８０２，Ｓ８０４，Ｓ８０５及びＳ８０６において行われ、ロール紙８０６０、インクシート８１００及びダストボックス８０４８以外の本体の操作がステップＳ８０１，Ｓ８０３，Ｓ８０７及びＳ８０８において行われる。したがって、ロール紙８０６０、インクシート８１００及びダストボックス８０４８の操作が行われている間に本体の操作が行われる。これにより、操作者がプリンター８０００に不慣れであると、行うべき操作を容易に認識できず、行うべき操作を短時間で容易に完了することができない。また、ロール紙８０６０及びインクシート８１００をそれぞれ新しいロール紙８０６０及びインクシート８１００に交換しダストボックス８０４８に収納されたマージンカットくず８１６０を廃棄する作業を少ない操作で行うことができない。
【００８７】
参考例１のプリンター８０００においては、インクシート８１００を新しいインクシート８１００に交換する操作が、回転ドア８３００が開位置８３２１へ向かって回転する前に行われる。また、ロール紙８０６０を新しいロール紙８０６０に交換する操作、及びダストボックス８０４８に格納されたマージンカットくず８１６０を破棄する操作が、回転ドア８３００が開位置８３２１へ向かって回転した後に行われる。このため、ロール紙８０６０、インクシート８１００及びダストボックス８０４８の操作が行われている間に回転ドア８３００の操作が行われる必要がある。
【００８８】
参考例１のプリンター８０００においては、ロール紙８０６０、インクシート８１００及びダストボックス８０４８が、スライドメカ８２０１に配置され、ロール紙８０６０及びインクシート８１００の交換、並びにダストボックスに８０４８に収納されたカットくず８１６０の破棄が行われる場合にスライドメカ８２０１が引き出される。
【００８９】
しかし、参考例１のプリンター８０００においては、ロール紙８０６０、インクシート８１００及びダストボックス８０４８が個別に操作されるようにロール紙８０６０、インクシート８１００及びダストボックス８０４８が配置されるため、スライドメカ８２０１が引き出された場合においてもロール紙８０６０、インクシート８１００及びダストボックス８０４８を同時に視認できず、ロール紙８０６０、インクシート８１００及びダストボックス８０４８を操作することを試みる場合には、回転ドア８３００を開ける等の他の部分の操作を行わなければならない。また、操作される部分を個別に探さなければならない。
【００９０】
３  参考例２
図７は、参考例２のプリンターの、スライドメカが交換位置に配置された状態を模式的に図示する斜視図でもある。図１０は、参考例２のプリンターの、スライドメカが交換位置に配置され回転ドアが開位置に配置された状態を模式的に図示する斜視図である。
【００９１】
図７及び図１０に図示されるプリンター９０００においては、スライドメカ９２０１が、固定側の筐体９２００から引き出し自在に外郭筐体９０２０に固定される。スライドメカ９２０１は、プリンター９０００がプリントを行うことができるプリント位置９２４０と、インクシート９１００の交換をプリンター９０００の前面から行うことができる交換位置９２４１と、の間で前後方向に移動できる。交換位置９２４１は、プリント位置９２４０の前方にある。
【００９２】
また、プリンター９０００においては、回転ドア９３００は、上方にある閉位置９３２０と下方にある開位置９３２１との間で回転軸９３４０の周りに回転可能である。
【００９３】
図１１は、参考例２のプリンターにおける、ロール紙及びインクシートをそれぞれ新しいロール紙及びインクシートに交換しダストボックスに収納されたマージンカットくずを廃棄する作業の手順を図示するフローチャートである。
【００９４】
図１１に図示されるステップＳ９０１においては、作業者が、スライドメカ９２０１が固定側の筐体９２００から引き出されていない状態でダストボックス９０４８を取り外し、取り外したダストボックス９０４８をダストボックス９０４８の交換経路に沿ってプリンター９０００の外部に運び出し、ダストボックス９０４８に収納されたマージンカットくず９１６０を破棄する。これにより、空のダストボックス９０４８が得られる。
【００９５】
続くステップＳ９０２においては、作業者が、空のダストボックス９０４８をダストボックス９０４８の交換経路に沿ってプリンター９０００の外部から運び入れ、運び入れた空のダストボックス９０４８をプリンター９０００に装着する。
【００９６】
続くステップＳ９０３においては、作業者が、スライドメカ９２０１を固定側の筐体９２００から引き出す。
【００９７】
続くステップＳ９０４においては、作業者が、消耗したインクシート９１００をインクシート装着部９０４１から取り外し、取り外したインクシート９１００をインクシート９１００の交換経路に沿ってプリンター９０００の外部に運び出す。また、作業者が、新しいインクシート９１００をインクシート９１００の交換経路に沿ってプリンター９０００の外部から運び入れ、運び入れた新しいインクシート９１００をインクシート装着部９０４１に装着する。これにより、消耗したインクシート９１００が新しいインクシート９１００に交換される。
【００９８】
続くステップＳ９０５においては、作業者が、回転ドア９３００を閉位置９３２０から開位置９３２１に向かって回転させる。回転ドア９３００が開位置９３２１に配置されることにより、プリンター９０００は、ロール紙９０６０にアクセスしてロール紙９０６０を新しいロール紙９０６０に交換する操作を行うことができる状態になる。
【００９９】
続くステップＳ９０６においては、作業者が、消耗したロール紙９０６０をロール紙装着部９０４０から取り外し、取り外したロール紙９０６０をロール紙９０６０の交換経路に沿ってプリンター９０００の外部に運び出す。また、作業者が、新しいロール紙９０６０をロール紙９０６０の交換経路に沿ってプリンター９０００の外部から運び入れ、運び入れた新しいロール紙９０６０をロール紙装着部９０４０に装着する。これにより、消耗したロール紙９０６０が新しいロール紙９０６０に交換される。
【０１００】
続くステップＳ９０７においては、作業者が、回転ドア９３００を開位置９３２１から閉位置９３２０へ向かって回転させる。
【０１０１】
続くステップ９０８においては、作業者が、スライドメカ９２０１をプリント位置９２４０に押しこむ。これにより、プリンター９０００は、初期状態に戻る。
【０１０２】
図１１のフローチャートにより図示される手順によれば、ロール紙９０６０、インクシート９１００及びダストボックス９０４８の操作がステップＳ９０１，Ｓ９０２，Ｓ９０４及びＳ９０６において行われ、ロール紙９０６０、インクシート９１００及びダストボックス９０４８以外の本体の操作がステップＳ９０３，Ｓ９０５，Ｓ９０７及びＳ９０８において行われる。したがって、ロール紙９０６０、インクシート９１００及びダストボックス９０４８の操作が行われている間に本体の操作が行われる。これにより、操作者がプリンター９０００に不慣れであると、行うべき操作を容易に認識できず、行うべき操作を短時間で容易に完了することができない。また、ロール紙９０６０及びインクシート９１００をそれぞれ新しいロール紙９０６０及びインクシート９１００に交換しダストボックス９０４８に収納されたマージンカットくずを廃棄する作業を少ない操作で行うことができない。
【０１０３】
参考例２のプリンター９０００においては、インクシート９１００を新しいインクシート９１００に交換する操作、及びダストボックス９０４８に格納されたマージンカットくず９１６０を破棄する操作が、回転ドア９３００が開位置９３２１へ向かって回転する前に行われる。また、ロール紙９０６０を新しいロール紙９０６０に交換する操作が、回転ドア９３００が開位置９３２１へ向かって回転した後に行われる。このため、ロール紙９０６０、インクシート９１００及びダストボックス９０４８の操作が行われている間に回転ドア９３００の操作が行われる必要がある。
【０１０４】
参考例２のプリンター９０００においては、ロール紙９０６０、インクシート９１００及びダストボックス９０４８が、スライドメカ９２０１に配置され、ロール紙９０６０及びインクシート９１００の交換、並びにダストボックスに９０４８に収納されたカットくず９１６０の破棄が行われる場合にスライドメカ９２０１が引き出される。
【０１０５】
しかし、参考例２のプリンター９０００においては、ロール紙９０６０、インクシート９１００及びダストボックス９０４８が個別に操作されるようにロール紙９０６０、インクシート９１００及びダストボックス９０４８が配置されるため、スライドメカ９２０１が引き出された場合においてもロール紙９０６０、インクシート９１００及びダストボックス９０４８を同時に視認できず、ロール紙９０６０、インクシート９１００及びダストボックス９０４８を操作することを試みる場合には、回転ドア９３００を開ける等の他の部分の操作を行わなければならない。また、操作される部分を個別に探さなければならない。
【０１０６】
なお、本発明は、その発明の範囲内において、各実施の形態を自由に組み合わせたり、各実施の形態を適宜、変形、省略することが可能である。
【０１０７】
この発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【０１０８】
１０００  プリンター、１０２０  外郭筐体、１０４０  ロール紙装着部、１０４１  インクシート装着部、１０４３  ピンチ部材、１０４４  グリップ部材、１０４５  プラテンローラー、１０４６  サーマルヘッド、１０４７  カッター、１０４８  ダストボックス、１０６０  ロール紙、１０８０  プリント用紙、１１００  インクシート、１１２０  熱転写位置、１１２１  カット位置、１１６０  マージンカットくず、１２００  固定側の筐体、１２０１  スライドメカ、１２２０  スライド機構、１３００  回転ドア、１３０１  バネ、１３２０  閉位置、１３２１  開位置、１３４０  回転軸、１３８０  開口部、１４０１  回転ロック機構。
【図１】
2019123637.tif 000003
【図２】
2019123637.tif 000004
【図３】
2019123637.tif 000005
【図４】
2019123637.tif 000006
【図５】
2019123637.tif 000007
【図６】
2019123637.tif 000008
【図７】
2019123637.tif 000009
【図８】
2019123637.tif 000010
【図９】
2019123637.tif 000011
【図１０】
2019123637.tif 000012
【図１１】
2019123637.tif 000013
【手続補正書】
【提出日】令和1年12月18日(2019.12.18)
【手続補正１】
【補正対象書類名】特許請求の範囲
【補正対象項目名】全文
【補正方法】変更
【補正の内容】
【特許請求の範囲】
【請求項１】
外郭筐体（１０２０）と、ロール紙（１０６０）から引き出されたプリント用紙（１０８０）に熱転写位置（１１２０）においてインクシート（１１００）からインクを熱転写し前記外郭筐体（１０２０）に固定されるサーマルヘッド（１０４６）と、を備える固定部（１２００）と、
可動部（１２０１）であって、前記ロール紙（１０６０）が装着されるロール紙装着部（１０４０）と、前記インクシート（１１００）が装着されるインクシート装着部（１０４１）と、カット位置（１１２１）において前記プリント用紙（１０８０）のカットを行うカッター（１０４７）と、前記プリント用紙（１０８０）を搬送し前記プリント用紙（１０８０）に前記熱転写位置（１１２０）及び前記カット位置（１１２１）を順次に通過させる搬送機構（１０４３，１０４４）と、前記カットにより生じるカットくず（１１６０）を収納するダストボックス（１０４８）と、前記固定部（１２００）から引き出し自在に前記可動部（１２０１）を前記外郭筐体（１０２０）に固定するスライド機構（１２２０）と、を備え、前記固定部（１２００）からの前記可動部（１２０１）の引き出しが行われた場合に、前記ロール紙（１０６０）、前記インクシート（１１００）及び前記ダストボックス（１０４８）が前記引き出しにより形成された開口部（１３８０）に面し、前記ロール紙（１０６０）、前記インクシート（１１００）及び前記ダストボックス（１０４８）以外を操作することなく前記ロール紙（１０６０）、前記インクシート（１１００）及び前記ダストボックス（１０４８）を操作可能である可動部（１２０１）と、
を備え、
前記可動部（１２０１）は、
回転軸（１３４０）の周りに回転可能である回転ドア（１３００）と、
バネ（１３０１）を備え、前記引き出しが行われた場合に、前記回転ドア（１３００）が前記ロール紙（１０６０）、前記インクシート（１１００）及び前記ダストボックス（１０４８）の交換経路と干渉しない開位置（１３２１）に向かって前記バネ（１３０１）が前記回転ドア（１３００）を回転させ前記開口部（１３８０）を形成する回転機構（１３０１）と、
をさらに備える
プリンター（１０００）。
【請求項２】
前記引き出しが行われていない場合に前記開位置（１３２１）へ向かっての前記回転ドア（１３００）の回転に対する規制を行い、前記引き出しが行われた場合に前記規制を解除する回転ロック機構（１４０１）
をさらに備える請求項１のプリンター（１０００）。
【手続補正２】
【補正対象書類名】明細書
【補正対象項目名】００１７
【補正方法】変更
【補正の内容】
【００１７】
ダストボックスは、カットにより生じるカットくずを収納する。
可動部は、回転ドア及び回転機構をさらに備える。回転ドアは、回転軸の周りに回転可能である。回転機構は、バネを備える。回転機構においては、可動部の引き出しが行われた場合に、回転ドアがロール紙、インクシート及びダストボックスの交換経路と干渉しない開位置に向かってバネが回転ドアを回転させ開口部が形成される。
【国際調査報告】
2019123637.tif 000014
2019123637.tif 000015
2019123637.tif 000016
2019123637.tif 000017